(57)【要約】【課題】本発明は被印刷材料ウェブ（７）に、プロセスインキすなわちシアンおよび／またはマゼンタおよび／またはイエローおよび／またはブラック（ＣＭＹＫ）で両面印刷を行うためのロール紙輪転印刷機の印刷ユニット（１，２）に関し、当該印刷ユニットには少なくとも一つのインプリンタ（３）が設けられている。【解決手段】本発明により、前記インプリンタ（３）の一つまたは複数のインキ装置には前記プロセスインキとは異なるインキおよび／または付加物質が備えられており、当該プロセスインキとは異なるインキおよび／または付加物質は被印刷材料ウェブに塗布可能である。【選択図】図１
2009269405.tif 000002
【特許請求の範囲】
【請求項１】
被印刷材料ウェブ（７）に、プロセスインキすなわちシアンおよび／またはマゼンタおよび／またはイエローおよび／またはブラック（ＣＭＹＫ）で両面印刷を行うためのロール紙輪転印刷機の印刷ユニット（１，２）であって、当該印刷ユニットに少なくとも一つのインプリンタ（３）が設けられている印刷ユニットにおいて、
前記インプリンタ（３）の一つまたは複数のインキ装置には前記プロセスインキとは異なるインキおよび／または付加物質が備えられており、当該プロセスインキとは異なるインキおよび／または付加物質は被印刷材料ウェブに塗布可能であることを特徴とする印刷ユニット。
【請求項２】
前記印刷ユニットは少なくとも二つの、９本の胴から成るサテライト型構成部から構成されていることを特徴とする請求項１に記載の印刷ユニット。
【請求項３】
前記印刷ユニットは少なくとも二つの、二つの圧胴を備えた１０本の胴から成るサテライト型構成部から構成されていることを特徴とする請求項１に記載の印刷ユニット。
【請求項４】
前記印刷ユニットは少なくとも四つのＢＢ型の構成部から構成されていることを特徴とする請求項１に記載の印刷ユニット。
【請求項５】
前記インプリンタ（３）は一つ、二つまたは三つの圧胴（６）から成り、少なくとも一つの印刷間隙は少なくとも一つの転写胴によって形成されていることを特徴とする請求項１に記載の印刷ユニット。
【請求項６】
前記インプリンタ（３）の前記一つまたは複数のインキ装置がニスおよび／または少なくとも部分的に金属から成る付加物質によって充填されていることを特徴とする請求項１から５のいずれか１項に記載の印刷ユニット。
【請求項７】
前記インプリンタ（３）の前記一つまたは複数のインキ装置が真珠光沢顔料および／または芳香族物質によって充填されていることを特徴とする請求項１から６のいずれか１項に記載の印刷ユニット。
【請求項８】
前記印刷ユニットの前記圧胴（５）、転写胴（３）、または版胴（４）のロール表面長さが縦位置または横位置の新聞紙面２ページ、４ページ、６ページ、８ページまたは１０ページの長さに相当することを特徴とする請求項１から７のいずれか１項に記載の印刷ユニット。
【請求項９】
ロール紙輪転印刷機において被印刷材料ウェブ（７）に印刷を行うための方法であって、前記被印刷材料ウェブ（７）には一つから四つのプロセスインキすなわちシアンおよび／またはマゼンタおよび／またはイエローおよび／またはブラック（ＣＭＹＫ）で両面印刷が行われ、前記被印刷材料ウェブ（７）はさらにインプリンタ（３）を通過する方法において、
前記インプリンタ（３）の一つまたは複数のインキ装置は前記被印刷材料ウェブ（７）に前記プロセスインキとは異なるインキおよび／または付加物質によって印刷を行うことを特徴とする方法。
【請求項１０】
前記インプリンタ（３）の前記一つまたは複数のインキ装置はニスおよび／または少なくとも部分的に金属から成る付加物質を前記被印刷材料ウェブ（７）に塗布することを特徴とする請求項９に記載の方法。
【請求項１１】
前記インプリンタ（３）の前記一つまたは複数のインキ装置は真珠光沢顔料および／または芳香族物質を前記被印刷材料ウェブ（７）に塗布することを特徴とする請求項９または１０に記載の方法。
【発明の詳細な説明】
【技術分野】
【０００１】
本発明は被印刷材料ウェブに、プロセスインキすなわちシアンおよび／またはマゼンタおよび／またはイエローおよび／またはブラック（ＣＭＹＫ）で両面印刷を行うためのロール紙輪転印刷機の印刷ユニットであって、当該印刷ユニットに少なくとも一つのインプリンタが設けられている印刷ユニットに関する。
【０００２】
さらに本発明はロール紙輪転印刷機において被印刷材料ウェブに印刷を行うための方法に関する。当該被印刷材料ウェブには一つから四つのプロセスインキすなわちシアンおよび／またはマゼンタおよび／またはイエローおよび／またはブラック（ＣＭＹＫ）で両面印刷が行われ、当該被印刷材料ウェブはさらにインプリンタを通過する。
【背景技術】
【０００３】
印刷機において今日では両面４色印刷（４／４）はすでに可能になっている。両面４色印刷においてプロセスインキすなわちＣＭＹＫ（シアン［藍色］、マゼンタ［深紅色］、イエロー［黄色］、およびキー［黒］）は、一つの選択肢として四つのＢＢ型の構成部を介して両面に印刷が行われる。印刷装置をＢＢ型に構成するとき、対応する印刷装置には４色のプロセスインキが備えられる。
【０００４】
ＢＢ型の構成において胴群をブリッジ式構成で配置すると、ウェットオフセット法の場合、ファンアウト（湿し剤を吸い込むことによってウェブ紙が幅方向に広がること）を補償するために第二、第三および第四のゴム胴同士の間隙に流入する前に、ファンアウト補償部を取り付けなければならないという不利点がある。ＢＢ型の構成に対して代替的に例えば８つのタワーから成るサテライト型印刷ユニットも両面４色印刷に適する。
【０００５】
また今日ではインプリンタも知られている。従来インプリンタは主に可変的な黒色による付加印刷のために用いるように想定されていた。インプリンタは既存の印刷機に後から組み込むか、あるいは最初から新しい機械として供給することができる。インプリンタは印刷機の個々の印刷タワーに、または全ての印刷タワーに取り付け可能である。
【０００６】
新聞の印刷所によっては今日すでにたとえば蛍光色のような特殊インキを印刷しているが、このような特殊インキの印刷を行うためには常に、通常はプロセスインキすなわちＣＭＹＫの印刷を行っている印刷機の既存のインキ装置を用いなければならない。四色のインキに特殊インキを足した組み合わせ印刷をこれによって行うことは不可能である。
【０００７】
本願発明の発明者は８つのタワーから成るサテライト型印刷ユニットに載置または内装されたインプリンタを用いて、被印刷材料ウェブに６／４、５／４または５／５のインキ着けまたはさらなる材料の付加的な塗布が可能であることを認識した。これによって印刷会社には、興味深い印刷複製物の新たな可能性が開かれる。
【発明の概要】
【発明が解決しようとする課題】
【０００８】
従って本願発明の発明者は、両面に１／１から４色（４／４）までの印刷を行うのに適している印刷ユニットであって、被印刷材料ウェブにさらなる材料または特殊インキを付加的に塗布することが可能である印刷ユニットを提供することを課題とした。
【課題を解決するための手段】
【０００９】
上記の課題は請求項１に記載の印刷ユニットおよび請求項９に記載の印刷方法によって解決される。
【００１０】
得られた認識に基づいて本願発明の発明者は、被印刷材料ウェブに、プロセスインキすなわちシアンおよび／またはマゼンタおよび／またはイエローおよび／またはブラック（ＣＭＹＫ）で両面印刷を行うためのロール紙輪転印刷機の印刷ユニットであって、当該印刷ユニットに少なくとも一つのインプリンタが設けられている印刷ユニットを改良することを提案する。それによって前記インプリンタの一つまたは複数のインキ装置には前記プロセスインキとは異なるインキおよび／または付加物質が備えられ、当該プロセスインキとは異なるインキおよび／または付加物質は被印刷材料ウェブに塗布可能となる。
【００１１】
これにより、両面に１／１から４／４までの色刷りを行うほかに、蛍光色のような目だった特殊インキ、または付加物質を被印刷材料ウェブ上に用いることが可能となる。
【００１２】
前記印刷ユニットは少なくとも二つの、９本の胴から成るサテライト型構成部から構成されていてよい。当該サテライト型印刷ユニットを９本の胴から成るサテライト型構成部として実施することは有利である。９本の胴から成るサテライト型構成部を上下に二つ配置すると、非常にコンパクトな空間で両面４色印刷（４／４）を行うことができる。これに替えて前記印刷ユニットは２つの圧胴を備える、少なくとも二つの、１０本の胴から成るサテライト型構成部から構成されてもよい。
【００１３】
ファンアウト効果が補償されるならば、ウェットオフセット法においても四つのＢＢ型の構成部によって４／４色刷りを確実に行うことができる。
【００１４】
インプリンタは一つ、二つまたは三つの圧胴から構成されうる。このとき少なくとも一つの印刷間隙は少なくとも一つの転写胴によって形成される。
【００１５】
前記インプリンタの一つまたは複数のインキ装置がニスおよび／または少なくとも部分的に金属から成る付加物質によって充填されていると有利である。これによって四色刷りに特殊インキを足した組み合わせ印刷が可能となる。
【００１６】
前記インプリンタの一つまたは複数のインキ装置が真珠光沢顔料によって充填されていてもよい。真珠光沢顔料とは被印刷材料ウェブの表面に深い光沢や均一な輝きを生じさせる装飾的な顔料である。真珠光沢顔料は鉱物の雲母と光を屈折させる金属酸化物から成り、顕著な造形的可能性を提供する。香料またはフェロモンなどの芳香族物質をインキ装置に装入することもできる。インキ装置は好適に目的に応じて揮発しやすい物質の場合はカプセルに入れて実現される。これに対して代替的または補足的に芳香族物質をカプセルに入れて設けてもよい。それによって芳香族物質が短時間で揮発することが回避され、長時間にわたる放出が保証される。
【００１７】
複製部数の異なる印刷機に前記の新しい印刷ユニットを実装するためには、圧胴と転写胴と版胴のロール表面長さが縦位置または横位置の新聞紙面２ページ、４ページ、６ページ、８ページまたは１０ページの長さに相当すると有利である。
【００１８】
代替的に圧胴と転写胴と版胴のロール表面長さが縦位置または横位置の新聞紙面３ページ、５ページ、７ページまたは９ページの長さに相当してもよい。
【００１９】
前記印刷ユニットに補足して本願発明の発明者はロール紙輪転印刷機において被印刷材料ウェブに印刷を行うための方法を提案する。当該方法において被印刷材料ウェブには一つから四つのプロセスインキすなわちシアンおよび／またはマゼンタおよび／またはイエローおよび／またはブラック（ＣＭＹＫ）で両面印刷が行われ、当該被印刷材料ウェブはさらにインプリンタを通過する。本発明により前記インプリンタの一つまたは複数のインキ装置は被印刷材料ウェブにプロセスインキとは異なるインキおよび／または付加物質によって印刷を行う。
【００２０】
インプリンタはたとえばニスおよび／または少なくとも部分的に金属から成る付加物質をまず版胴に塗布し、その後転写胴に塗布し、最後に被印刷材料ウェブに塗布することができる。
【００２１】
インプリンタは前記の方法に対して代替的または補足的に真珠光沢顔料および／または芳香族物質をまず版胴に塗布し、その後転写胴に塗布し、最後に被印刷材料ウェブに塗布することができる。
【００２２】
本発明のさらなる好適な実施の形態は以下の詳細な説明に記載されている。本発明の実施の形態を図面に基づいて以下により詳しく説明するが、本発明はこれらの実施の形態に限定されるものではない。図面に示すのは以下の通りである。
【図面の簡単な説明】
【００２３】
【図１】５／４色刷りを行うためのインプリンタを備える二つのサテライト型印刷ユニットを示す図である。
【図２】５／５色刷りを行うためのインプリンタを備える二つのサテライト型印刷ユニットを示す図である。
【図３】６／４色刷りを行うためのインプリンタを備える二つのサテライト型印刷ユニットを示す図である。
【発明を実施するための形態】
【００２４】
以下に図１から３を参照しながら本発明を詳細に説明する。
【実施例１】
【００２５】
図１は５／４色刷りを行うためのインプリンタ３を備える二つのサテライト型印刷ユニット１および２を示している。従って印刷すべき被印刷材料ウェブの、第一の被印刷材料ウェブ面は５色で印刷され、第二の被印刷材料ウェブ面は４色で印刷される。
【００２６】
通常は紙である被印刷材料ウェブ７はまず第一のサテライト型印刷ユニット１に供給される。被印刷材料ウェブ７は第一のサテライト型印刷ユニット１の圧胴６に巻きつけられ、当該圧胴６の周囲に当接されている四つの転写胴４によってインキを着けられる。
【００２７】
４つの印刷間隙には異なるインキが備えられているため、被印刷材料ウェブの一つの面は４色で印刷される。一つまたは複数のインキは図に示されていないインキ装置を介して、一つまたは複数の印刷プレートまたはスリーブを担持する版胴５にまず転写され、当該版胴から転写胴４を介して被印刷材料ウェブ７に転写される。
【００２８】
被印刷材料ウェブ７の第一の面の印刷が行われた後、当該被印刷材料ウェブは第二のサテライト型印刷ユニット２に供給され、当該第二のサテライト型印刷ユニットにおいて被印刷材料ウェブ７のもう一方の面が、同様の方法で一色から四色のインキで印刷される。
【００２９】
９本の胴から成るサテライト型として構成された二つの印刷ユニット１および２を介してインプリンタ３が設けられている。インプリンタ３は本実施の形態では二つの圧胴６と、当該圧胴にそれぞれ当接された転写胴４および版胴５と、から成る。これによって全体で二つの印刷間隙が形成されている。図１において、印刷ユニット１および２において両面印刷が行われた被印刷材料ウェブ７はインプリンタ３の左の印刷間隙に供給され、それによって被印刷材料ウェブ７の一方の面は付加インキによって印刷可能であり、すなわち５／４色刷りが可能である。
【実施例２】
【００３０】
図２は５／５色刷りを行うためのインプリンタ３を備える二つのサテライト型印刷ユニット１および２を示している。本図の構成は図１の構成に対応している。９本の胴から成る二つのサテライト型印刷ユニット１および２による両面印刷は図１における場合と同様に行われる。
【００３１】
しかしながらインプリンタ３における被印刷材料ウェブ７のウェブガイドは図１におけるウェブガイドとは異なる。被印刷材料ウェブ７はまず図１と同様にインプリンタ３の左の印刷間隙を介して印刷される。被印刷材料ウェブ７はインプリンタ３の二つの圧胴６にＳ字状に巻きつけられ、最終的に第二の印刷間隙によってもう一方の面にも印刷が行われ、これによって５／５色刷りが可能である。
【００３２】
図３はさらなるウェブガイドを示すが、その他の点では印刷装置の構成は同一である。当該印刷装置によって６／４色刷りが可能となる。
【００３３】
インプリンタのインキ装置に装入されるのは必ずしもただ一つの（特殊）インキに限らないことをここで強調しておく。すでに印刷ユニット１および２によって、４／４色刷りが可能となっているからである。
【００３４】
むしろ前記インキ装置には芳香族物質などの付加物質や砂、雲母などの粒子といった被印刷材料ウェブに触覚的効果を実現する物質が装入されていてよい。
【符号の説明】
【００３５】
１  第一のサテライト型印刷ユニット
２  第二のサテライト型印刷ユニット
３  インプリンタ
４  転写胴
５  版胴
６  圧胴
７  被印刷材料ウェブ
【図１】
2009269405.tif 000003
【図２】
2009269405.tif 000004
【図３】
2009269405.tif 000005